(57)【要約】【課題】画像の一部を拡大するに際し、新たなメモリを追加することなく画像の一部を拡大処理することが可能な表示装置の提供を目的とする。【解決手段】本表示装置１０は、フレームメモリ１２、スケーラ部１３、ディスプレイモジュール１５、制御部１６、さらにはＯＳＤ部１７とを備えている。本表示装置１０は、スケーラ部１３に、画像データをディスプレイモジュール１５の解像度に対応するようスケーリングさせて、ディスプレイモジュール１５を駆動するとともに、リモコン装置からの操作を受付けると、指定された拡大領域を拡大表示する。【選択図】図１
2008256788.tif 000002
【特許請求の範囲】
【請求項１】
フレームメモリに記憶された画像データの画素数をスケーラ部を用いて変更可能な表示装置において、
本表示装置を制御するＣＰＵと、
前記ＣＰＵが所定の処理を行なうためのプログラムを記憶した記憶媒体と、
フレームメモリに記憶された画像データにリモコン装置にて操作可能なＯＳＤ画像を重畳するＯＳＤ部と、
前記フレームメモリに記憶された画像データに画像処理を行なう画像処理部とを有し、  前記記憶媒体は、
前記ＣＰＵに、前記ＯＳＤ部が生成したアイコンの大きさの変更を受付けるとともに、前記アイコンが指定した領域を拡大領域とし、
前記フレームメモリに記憶された画像データであって、前記アイコンにより指定された領域に対応する部位を特定させ、
前記特定された画像データの部位の画素数を変換させる指示をスケーラ部に出させることで、
前記アイコンにより指定された領域の画素数を前記スケーラ部が前記フレームメモリ内で変更することにより、前記拡大領域内の画像を拡大表示する拡大表示プログラムを記憶するとともに、
前記ＣＰＵが、前記拡大領域に表示され画像の輪郭を前記画像処理部に鈍らせるよう画像処理させ、該拡大領域に表示された画像を見やすくするエッジ強調プログラムとを記憶することを特徴とする表示装置。
【請求項２】
フレームメモリに記憶された画像データの画素数をスケーラ手段を用いて変更可能な表示装置において、
表示画像の拡大領域を指定する領域指定手段と、
前記フレームメモリに入力された画像データであって、前記領域指定手段が指定した領域に対応する部位を特定する画像データ特定手段と、
前記画像データ特定手段により特定された画像データの画素数を、前記スケーラ手段に変換させる変換指示手段とを有し、
前記領域指定手段が指定した領域の画素数を前記スケーラ手段が前記フレームメモリ内で変更することにより、該拡大領域を拡大表示することを特徴とする表示装置。
【請求項３】
前記領域指定手段は、ＯＳＤ画像によって生成されたアイコンで拡大領域を指定する構成であって、
前記アイコンは、リモコン装置を用いて操作可能であることを特徴とする請求項２に記載の表示装置。
【請求項４】
前記領域指定手段が指定する拡大領域は、前記リモコン装置の操作により任意の大きさを選択可能であることを特徴とする請求項２または請求項３に記載の表示装置。
【請求項５】
前記変換指示手段は、前記拡大領域の拡大率の変更を受付ける拡大率変更受付手段を備え、
前記変換指示手段が受付けた拡大率を基に前記領域の拡大率を変更することを特徴とする請求項２から請求項４のいずれか一項に記載の表示装置。
【請求項６】
更に、前記スケーラ手段にて変更された領域にエッジ処理を行なうエッジ処理手段を有することを特徴とする請求項２から請求項５のいずれか一項に記載の表示装置。
【発明の詳細な説明】
【技術分野】
【０００１】
本発明は映像を表示する表示装置に関し、特に表示された映像の一部を拡大する機能を備えた表示装置に関するものである。
【背景技術】
【０００２】
従来、表示装置で表示される画像の一部を拡大するために以下の技術が開示されている。つまり、本テレビジョン受信機は、グラフィックス処理部、合成回路、さらにはＮＴＳＣエンコーダを備えている。その作用は、画像データの一部をグラフックス処理部で拡大処理し、合成回路とＮＴＳＣエンコーダを用いて拡大処理された画像と画像データとを重畳させて出力するものである。これにより、画面上では画像データの一部が拡大されて表示される（例えば、特許文献１参照。）。
【０００３】
また、画像データに重畳される文字画像領域を拡大表示するために以下の画像拡大装置が開示されている。つまり、本画像拡大装置は、画像コンテンツ情報から文字列情報を取得するとともに、取得された文字列情報を基に文字画像領域を個別に拡大して画像コンテンツ情報と重畳する。これにより、画面上では、画面の大きさと非線形に文字列が表示される（例えば、特許文献２参照。）。
【０００４】
さらに、特許文献２同様に、文字画像領域を拡大表示するための同様の画面拡大装置が開示されている（例えば、特許文献３参照。）。
【特許文献１】特開平１０−１４９１５０号
【特許文献２】特開２００６−２８５０５１号
【特許文献３】特開２００６−２１１２０７号
【発明の開示】
【発明が解決しようとする課題】
【０００５】
上述した特許文献１から３の技術は次のような課題があった。つまり、前記した技術では、拡大を行なう領域を基画像と分離し個別に拡大処理した後、基画像と拡大領域とを重畳させている。そのため、基画像と分離させた拡大領域を拡大処理するための新たなメモリが必要となり、コストアップとなった。
【０００６】
本発明は、上記課題にかんがみてなされたもので、画像の一部を拡大するに際し、新たなメモリを追加することなく画像の一部を拡大処理することが可能な表示装置の提供を目的とする。
【課題を解決するための手段】
【０００７】
上記課題を解決するために、本発明の請求項２にかかる発明では、フレームメモリに記憶された画像データの画素数をスケーラ手段を用いて変更可能な表示装置において、表示画像の拡大領域を指定する領域指定手段と、前記フレームメモリに入力された画像データであって、前記領域指定手段が指定した領域に対応する部位を特定する画像データ特定手段と、前記画像データ特定手段により特定された画像データの画素数を、前記スケーラ手段に変換させる変換指示手段とを有し、前記領域指定手段が指定した領域の画素数を前記スケーラ手段が前記フレームメモリ内で変更することにより、該拡大領域を拡大表示する構成としてある。
【０００８】
つまり、領域指定手段が指定した表示画像の拡大領域に対応する画像データの部位を画像データ特定手段が特定し、変換指示手段がスケーラ手段に変換させることで、スケーラ手段がフレームメモリ内で拡大領域の画素数を変更し、該拡大領域を拡大表示する。そのため、フレームメモリ内に記憶された画像データをスケーラ手段が拡大表示するため、必要とされるメモリは１つで済み、表示装置のコストアップを避けることができる。
【０００９】
また、前記領域指定手段は、ＯＳＤ画像によって生成されたアイコンで拡大領域を指定する構成であって、前記アイコンは、リモコン装置を用いて操作可能である構成としてもよい。
つまり、画面上に表示されたアイコンをリモコン装置で操作して、拡大表示する領域を指定するため、画面を見ながら拡大領域を指定することができ、拡大表示したい領域を的確に指定することができる。
【００１０】
そして、前記領域指定手段が指定する拡大領域は、前記リモコン装置の操作により任意の大きさを選択可能である構成としてもよい。
つまり、拡大領域の大きさを任意に指定することができ、ユーザの利便性を高めることができる。
【００１１】
さらに、前記変換指示手段は、前記拡大領域の拡大率の変更を受付ける拡大率変更受付手段を備え、前記変換指示手段が受付けた拡大率を基に前記領域の拡大率を変更する構成としてある。
つまり、拡大領域の拡大率を変更することができるため、より使い勝手を高めることができる。
【００１２】
更に、前記スケーラ手段にて変更された領域にエッジ処理を行なうエッジ処理手段を有する構成としてある。
つまり、拡大された領域は輪郭が見難くなる傾向があり、単に拡大させて表示しただけでは見辛くなる。そのため、拡大領域のエッジを処理することにより輪郭を整え、画面に表示された際、見やすくすることができる。
【００１３】
また、上記課題を解決するために請求項１に記載された発明では、フレームメモリに記憶された画像データの画素数をスケーラ部を用いて変更可能な表示装置において、本表示装置を制御するＣＰＵと、前記ＣＰＵが所定の処理を行なうためのプログラムを記憶した記憶媒体と、フレームメモリに記憶された画像データにリモコン装置にて操作可能なＯＳＤ画像を重畳するＯＳＤ部と、前記フレームメモリに記憶された画像データに画像処理を行なう画像処理部とを有し、前記記憶媒体は、前記ＣＰＵに、前記ＯＳＤ部が生成したアイコンの大きさの変更を受付けるとともに、前記アイコンが指定した領域を拡大領域とし、前記フレームメモリに記憶された画像データであって、前記アイコンにより指定された領域に対応する部位を特定させ、前記特定された画像データの部位の画素数を変換させる指示をスケーラ部に出させることで、前記アイコンにより指定された領域の画素数を前記スケーラ部が前記フレームメモリ内で変更することにより、前記拡大領域内の画像を拡大表示する拡大表示プログラムを記憶するとともに、前記ＣＰＵが、前記拡大領域に表示され画像の輪郭を前記画像処理部に鈍らせるよう画像処理させ、該拡大領域に表示された画像を見やすくするエッジ強調プログラムとを記憶する構成としてある。
【発明の効果】
【００１４】
以上説明したように本発明によれば、画像の一部を拡大するに際し、新たなメモリを追加することなく画像の一部を拡大処理することができる。
また請求項３にかかる発明によれば、画面を見ながら拡大領域を指定することができ、拡大表示したい領域を的確に指定することができる。
そして請求項４にかかる発明によれば、拡大領域の大きさを任意に指定することができ、ユーザの利便性を高めることができる。
さらに請求項５にかかる発明によれば、拡大領域の拡大率を変更することができるため、より使い勝手を高めることができる。
また請求項６にかかる発明によれば、拡大領域のエッジを処理することにより輪郭を整え、画面に表示された際、見やすくすることができる。
さらに請求項１のような、より具体的な構成において、上述した請求項２〜請求項６の各発明と同様の作用を奏することはいうまでもない。
【発明を実施するための最良の形態】
【００１５】
以下、下記の順序に従って本発明の実施形態を説明する。
（１）表示装置の構成
（２）表示装置の作用・効果
（３）各種変形例
（４）まとめ
【００１６】
（１）表示装置の構成 
本表示装置は、取得した画像データをディスプレイに表示するとともに、表示された画像の一部を拡大表示する。そのため、図１に示すように、表示装置１０は、フレームメモリ１２、スケーラ部１３（スケーラ手段）、ディスプレイモジュール１５、制御部１６（画像データ特定手段）、さらにはＯＳＤ部１７（領域指定手段、変換指示手段）とを備えている。これにより、通常時は、スケーラ部１３は、画像データをディスプレイモジュール１５の解像度に対応するようスケーリングすることで、ディスプレイモジュール１５を駆動するとともに、リモコン装置２０からの操作を受付けると、ＯＳＤ部１７および制御部からの指示に基づいて指定された拡大領域を拡大表示する。
【００１７】
本表示装置１０は、入力インターフェース１１を介して取得された画像データを基にディスプレイモジュール１５を駆動させて画像を表示する。入力インターフェース１１を介して取得された画像データは、フレームメモリ１２に一時記憶される。その後、画像データは、スケーラ部１３のスケーリング、及び画像処理部１４の画像処理を施され、ディスプレイモジュール１５に出力される。ディスプレイモジュール１５は、入力された画像データに基づいて駆動する。なお、本表示装置１０は、入力インターフェース１１をテレビジョン放送信号を受信可能なチューナー部とすることで、テレビジョン受信機とする構成でもよい。
【００１８】
フレームメモリ１２は、入力インターフェース１１を介して取得された画像データを記憶する。フレームメモリ１２は、１フレーム毎の画像データを記憶する。フレームメモリ１２に一時記憶された画像データは、スケーラ部１３によるスケーリングや画像処理部１４による画像処理を施され、例えば６０分の１秒毎にディスプレイモジュール１５に出力される。
【００１９】
スケーラ部１３は、フレームメモリ１２に記憶された画像データの解像度をディスプレイモジュール１５の解像度に対応するようスケーリングする。スケーラ部１３は、フレームメモリ１２に記憶された画像データの解像度が６４０×４８０であり、ディスプレイモジュール１５の解像度が１０２４×７６８である場合、入力画像の解像度を１０２４×７６８に変換する。スケーラ部１３のスケーリングは従来技術であるため、概略的に説明を行なう。スケーラ部１３のスケーリングの一例として、画像データに対するサンプリング周期を変更することで画像データの解像度を変更する。また、サンプリング周期を変更させることなく、画像データの周波数を変更してスケーリングしてもよい。
【００２０】
画像処理部１４は、スケーラ部１３がスケーリングした画像データに所定の画像処理を施す。具体的には、画像処理部１４は、画像データにコントラスト調整や、エッジ調整、およびブライトネス調整等の画像処理を施す。前述したフレームメモリ１２、スケーラ部１３、および画像処理部１４とは１つのＩＣ内に実装されるものであってもよい。その場合、スケーラ部１３と画像処理部１４とが同一の回路にて実現される構成であってもよい。
【００２１】
ディスプレイモジュール１５は、スケーラ部１３がスケーリングした画像データを基に画像を表示する。ディスプレイモジュール１５は、画像データをディジタル／アナログ変換するドライバ部１５ａと、ドライバ部１５ａがディジタル／アナログ変換した画像データを基に画像を表示するディスプレイ部１５ｂとを備えている。ドライバ部１５ａは、スケーラ部１３のサンプリング周期に合わせてサンプリングしたディジタル信号からアナログ電圧を生成する。ディスプレイ部１５ｂは、ＲＧＢのカラーを持つ複数の画素がマトリクス状に配列して表示画面を構成している。ドライバ部１５ａと、ディスプレイ部１５ｂを構成する各画素とは電気的に接続されており、ドライバ部１５ａは生成したアナログ電圧をディスプレイ部１５ｂの各画素に印加することによりディスプレイ部１５ｂを駆動する。
【００２２】
制御部１６は、表示装置１０全体の駆動を制御する。制御部１６は、演算中枢としてのＣＰＵ１６ａ、ＣＰＵ１６ａの一時記憶領域であるＲＡＭ１６ｂ、ＣＰＵ１６ａが演算処理を行なう各種プログラムが記憶されたＲＯＭ１６ｃ、さらにはリモコン装置２０から操作信号を受付けるリモコン受信部１６ｄとを備えている。そのため、リモコン装置２０からの操作や図示しない操作パネルからの操作信号をリモコン受信部１６ｄが受付けると、リモコン受信部１６ｄは受付けた操作信号をＣＰＵ１６ａに出力する。ＣＰＵ１６ａは受信した操作信号を基に表示装置１０の各構成要素を制御する。
【００２３】
ＯＳＤ部１７は、画面データにＯＳＤ画面を重畳する。ＯＳＤ部１７は、メニュー画面等の各種画面を構成するデータを記憶し、フレームメモリ１２に一時記憶された画像データに上記各データを重畳する。これにより、ディスプレイモジュール１５に表示された画像にＯＳＤ画面が表示される。具体的には、リモコン装置２０を操作してメニュー画面を表示させる場合は、制御部１６からの制御によりＯＳＤ部１７はメニュー画面に対応したデータを読み出し、フレームメモリ１２に記憶された画像データにデータを重畳する。これによりデータを重畳された画像データはディスプレイモジュール１５に出力され、メニュー画面が重畳された画像を表示する。また、ＯＳＤ部１７は拡大領域を指定するアイコンに対応したデータを記憶しており、メニュー画面上で選択操作を受付けると、上記アイコンを画面上に表示させる。
【００２４】
本表示装置１０は、表示された画像の一部をアイコンで指定することで指定された領域を拡大表示する。表示装置１０の拡大表示は、ＲＯＭ１６ｃに記憶された拡大表示プログラム１００に基づいたＣＰＵ１６ａの制御により実行される。図２は、拡大表示プログラムによりＣＰＵ１６ａが実行するフローを示す図である。メニュー画面上で拡大表示を選択すると、ＣＰＵ１６ａはＲＯＭ１５ｃに記憶された拡大表示プログラム１００を読み出す。次に、ＣＰＵ１６ａは、ＯＳＤ部１７に拡大領域Ａを指定するためのアイコン２００を表示させる（ステップＳ１００）。このとき、図３（ａ）に示すように、画面上にＯＳＤ部１７が重畳した枠状のアイコン２００が表示される。さらに、ＣＰＵ１６ａは、リモコン装置２０からのアイコン操作指示を受付る（ステップＳ１１０）。そして、リモコン装置２０の決定キーが操作されると（ステップＳ１２０）、ＣＰＵ１６ａは、フレームメモリ１２に記憶された画像データであってアイコン２００で指定された拡大領域Ａに対応する部位を特定する（ステップＳ１３０）。さらに、ＣＰＵ１６ａは、特定した画像データの部位に対して拡大表示するようスケーラ部１３に指示する（ステップＳ１４０）。なお、スケーラ部１３の拡大表示は、予め登録された拡大率により実行される。無論、拡大率はメニュー画面上で適宜変更可能である。これにより、画面上には、図３（ｂ）に示すように、アイコン２００内に拡大された画像が表示される。
【００２５】
図４は、スケーラ部による拡大処理を示すイメージ図である。図中斜線で塗られた領域Ａがアイコン２００にて指定される拡大領域とする。ＣＰＵ１６ａがステップＳ１３０で、アイコン２００により指定された拡大領域に対応した画像データの部位を特定すると、スケーラ部１３は、ＣＰＵ１６ａに特定された画像データの部位に拡大処理をする。このとき、スケーラ部１３が行なう拡大処理は、スケーリングにより画素数を増加させることで対応する。つまり、拡大領域に対応した画像データのサンプリング周期を短くすることで、ディスプレイ部１５ｂの隣接画素に同一のデータ値を出力させる。また、表示画面上で、拡大表示画像と重なる領域の画像は、サンプリングを行なわないことにより対応する。
【００２６】
以下図４を用いて具体的な説明を行なう。図中、周期Ｆにおける画像データは、画面上の横列ｎに対応し、連続する周期Ｆ’における画像データは横列ｎ＋１に対応する。画像データ内に表示された矢印は、スケーラ部１３がサンプリングする部位を示す。図中では、隣接する画素（Ｎ、ｍ）〜（Ｎ、ｍ＋３）に表示される画像データの値である。スケーラ部１３が拡大表示しない場合、図４（ａ）の矢印で示すサンプリング周期ｆを一定とする。それに対して、スケーラ部１３が拡大表示する場合、図４（ｂ）で示すように、拡大後の画像が表示される画素に対応する画像データが入力されるようサンプリング周期を変更する。つまり、図４（ａ）の矢印間でのサンプリング周期ｆを短くすることで、画素（ｎ、ｍ）〜（ｎ+３、ｍ+３）に入力される画像データの値を一定とする。これにより、ディスプレイモジュール１５に表示された画像は、拡大領域のみが縦横に拡大表示されるとともに、他の領域は通常の表示を行なう。なお、サンプリング周期を変更せず、画像データの周波数を変更させる場合も同様に、拡大領域として選択された画像データの部位の周波数を変更すればよい。
【００２７】
（２）表示装置の作用・効果
本表示装置１０は、画面上でアイコン２００を操作して拡大領域を指定することで、拡大領域内の画像を拡大表示することができる。図３（ａ）に示すように、まず、リモコン装置２０等を操作して、メニュー画面上でアイコン２００を表示させる。次に、リモコン装置２０の操作によりアイコン２００を用いて拡大領域を指定する。そして、リモコン装置２０の選択キーを操作すると、図３（ｂ）に示すように、アイコン２００で指定された拡大領域Ａが拡大表示される。このとき、画像データの拡大処理はスケーラ部１３を用いてフレームメモリ１２内で処理されるため、拡大領域を重畳した場合に比べて余分なメモリを必要としない。つまり、拡大領域を画像データに重畳した場合は、拡大領域を画像データから分離または複製して一時記憶させるメモリが必要となる。それに対して、本表示装置１０では、フレームメモリ１２に記憶された画像データの一部をドライバ部１５ａが画素数を増加させて拡大するため、余分なメモリが必要なくなる。
【００２８】
（３）各種変形例
本発明に係る表示装置は、各種変形例が存在する。
図５に示すように、アイコン２００の大きさを各種選択できるものであってもよい。図５（ａ）に示すアイコン２００の大きさに対して、図５（ｂ）では、アイコン２００より大きなアイコン２０１を示し、図５（ｃ）では、アイコン２００より小さなアイコン２０２を示している。本変形例では、ユーザがリモコン装置２０を操作してメニュー画面上で拡大領域を指定するアイコン２００の大きさを選択することができる。つまり、アイコン２０１を使用した場合、拡大領域の範囲を大きくすることができる。また、アイコン２０２を使用した場合は拡大領域を小さくすることができる。このため、ユーザは領域を使い分けることができ、拡大表示の利便性を高めることができる。
【００２９】
また、スケーラ部１３にて拡大表示された領域にエッジ処理を行い、表示された拡大領域を見やすくしてもよい。図６に示すように、表示装置１０は、画像処理プログラム３００を記憶し、画面上で拡大表示された画像に画像処理を施す。図７（ａ）は、画像処理が施されない拡大領域Ａとその拡大図を示し、図７（ｂ）は、画像処理を施された拡大領域Ａとその拡大図を示す。通常、拡大領域Ａの拡大率が高くなるに従い、表示された画像の輪郭はドットが荒くなる。このため、ＣＰＵ１６ａは、拡大領域にエッジ処理を施すよう画像処理部１４に指示する。具体的には、エッジを鈍らせるよう画像処理を行なう。これにより、拡大領域の画像は輪郭が整えられ画像が見やすくする。このため、拡大率が高い画像でもユーザは鮮明な画像を視聴することができる。
【００３０】
（４）まとめ
本表示装置１０は、フレームメモリ１２、スケーラ部１３（スケーラ手段）、ディスプレイモジュール１５、制御部１６（画像データ特定手段）、さらにはＯＳＤ部１７（領域指定手段、変換指示手段）とを備えている。本表示装置１０は、スケーラ部１３に、画像データをディスプレイモジュール１５の解像度に対応するようスケーリングさせて、ディスプレイモジュール１５を駆動するとともに、リモコン装置からの操作を受付けると、指定された拡大領域を拡大表示する。
【００３１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３２】
【図１】本発明に係る表示装置の一例としてのブロック構成図である。
【図２】拡大表示プログラムによりＣＰＵが実行するフローチャートである。
【図３】一例としての画面に表示された拡大領域を含む画像を示す図である。
【図４】一例としてのスケーラ部が実行する拡大処理を示す図である。
【図５】一例としての画面に表示された拡大領域を含む画像を示す図である。
【図６】本発明に係る表示装置の一例としてのブロック構成図である。
【図７】一例としての画面に表示された拡大領域を含む画像を示す図である。
【符号の説明】
【００３３】
１０…表示装置、１１…入力インターフェース、１２…フレームメモリ、１３…スケーラ部、１４…画像処理部、１５…ディスプレイモジュール、１５ａ…ドライバ部、１５ｂ…ディスプレイ部、１６…制御部、１６ａ…ＣＰＵ、１６ｂ…ＲＡＭ、１６ｃ…ＲＯＭ、１６ｄ…リモコン受信部、１７…ＯＳＤ部、２０…リモコン装置、１００…拡大表示プログラム、２００、２０１、２０２…アイコン、３００…画像処理プログラム
【図１】
2008256788.tif 000003
【図２】
2008256788.tif 000004
【図３】
2008256788.tif 000005
【図４】
2008256788.tif 000006
【図５】
2008256788.tif 000007
【図６】
2008256788.tif 000008
【図７】
2008256788.tif 000009